(57)【要約】【課題】連結作業が容易で結合強度を高めることができる連結具を提供する。【解決手段】横板１３と側板１４とを連結して角部１５を形成する連結具１６を、角部１５の内周側を構成する横板１３の内側面６３に固定される第１金具６１と、角部１５の内周側を構成する側板１４の内側面６４に固定される第２金具６２とで構成する。第１金具６１に係合溝７６を設け、該係合溝７６に挿入された状態で係合する係合凸部７６を第２金具６２に突設する。【選択図】          図６
2004211821.tif 000002
【特許請求の範囲】
【請求項１】
第１の部材と第２の部材とを連結して角部を形成する連結具であって、
前記角部の内周側を構成する前記第１の部材の内側面に固定される第１金具と、前記角部の内周側を構成する前記第２の部材の内側面に固定される第２金具とで構成し、前記第１金具に係合溝を設けるとともに、該係合溝に挿入された状態で係合する係合凸部を前記第２金具に設けたことを特徴とする連結具。
【請求項２】
前記第１金具と前記第２金具とを連結した状態で、前記第１金具に対する前記第２金具の角度を保持するとともに、前記第１の部材に面接する前記第１金具の固定面と前記第２の部材に面接する前記第２金具の固定面とによって前記角部の内周側に沿って延在するＬ字状のアングル面を構成したことを特徴とする請求項１記載の連結具。
【請求項３】
前記第２金具の前記固定面に起立し連結された前記第１金具に当接する起立壁を設け、連結状態において前記第１金具の前記固定面と前記第２金具の前記固定面との間にて斜めに延在する梁部を前記起立壁で構成したことを特徴とする請求項２記載の連結具。
【請求項４】
前記係合凸部を、前記係合溝の長さ方向に沿って挿入される先端より基端へ向かうに従って幅広に設定するとともに、前記係合溝を、前記係合凸部が挿入される挿入口側から奥側へ向かうに従って幅狭に設定したことを特徴とする請求項１、２又は３記載の連結具。
【発明の詳細な説明】
【０００１】
【発明の属する技術分野】
本発明は、椅子やテーブルなどの例えば組立家具に用いられる連結具に関する。
【０００２】
【従来の技術】
従来、椅子やテーブルなど形状の大きなものは、購入者が組み立てる組立家具として販売されている。
【０００３】
この組立家具である椅子は、脚部で支持されるロ字状のフレームを備えており、該フレーム上に座板を支持するように構成されている。前記フレームは、四辺を構成する板材によって構成されており、隣接する板材同士は、突き当て部に木ねじを螺入して連結するように構成されている。
【０００４】
【発明が解決しようとする課題】
しかしながら、このような組立家具にあっては、板材に木ねじを螺入して隣接する板材同士を連結する構造のため、強度が低いという問題があった。
【０００５】
また、木ねじを一方の板材に貫通し、かつ他の板材に螺入しなければならず、力を要するととも組立に苦労を要した。
【０００６】
本発明は、このような従来の課題に鑑みてなされたものであり、連結作業が容易で結合強度を高めることができる連結具を提供することを目的とするものである。
【０００７】
【課題を解決するための手段】
前記課題を解決するために本発明の請求項１の連結具にあっては、第１の部材と第２の部材とを連結して角部を形成する連結具であって、前記角部の内周側を構成する前記第１の部材の内側面に固定される第１金具と、前記角部の内周側を構成する前記第２の部材の内側面に固定される第２金具とで構成し、前記第１金具に係合溝を設けるとともに、該係合溝に挿入された状態で係合する係合凸部を前記第２金具に設けた。
【０００８】
すなわち、連結具を使用する際には、第１の部材の内側面に第１金具を固定するとともに、第２の部材の内側面に第２金具を固定する。そして、前記第１金具に設けられた係合溝に、第２金具に設けられた係合凸部を挿入し、両金具を連結する。すると、第１及び第２の部材は、角部の内周側に沿って配設された第１及び第２金具が連結されてなる連結具によって結合される。
【０００９】
また、請求項２の連結具においては、前記第１金具と前記第２金具とを連結した状態で、前記第１金具に対する前記第２金具の角度を保持するとともに、前記第１の部材に面接する前記第１金具の固定面と前記第２の部材に面接する前記第２金具の固定面とによって前記角部の内周側に沿って延在するＬ字状のアングル面を構成した。
【００１０】
すなわち、第１金具の固定面と第２金具の固定面とによって角部の内周側に沿って延在するＬ字状のアングル面が構成されており、連結状態において前記第１金具に対する前記第２金具の角度が保持される。
【００１１】
このため、この連結具によって連結された第１の部材と第２の部材との角度が維持される。
【００１２】
さらに、請求項３の連結具では、前記第２金具の前記固定面に起立し連結された前記第１金具に当接する起立壁を設け、連結状態において前記第１金具の前記固定面と前記第２金具の前記固定面との間にて斜めに延在する梁部を前記起立壁で構成した。
【００１３】
すなわち、連結状態において、第１の部材に面接する第１金具の固定面と、第１の部材に面接する第２金具の固定面との間には、前記第２金具の固定面に立設された起立壁によって斜めに延在する梁部が形成される。
【００１４】
このため、連結された第１及び第２金具がＬ字状に形成される場合と比較して、剛性が高められる。
【００１５】
加えて、請求項４の連結具にあっては、前記係合凸部を、前記係合溝の長さ方向に沿って挿入される先端より基端へ向かうに従って幅広に設定するとともに、前記係合溝を、前記係合凸部が挿入される挿入口側から奥側へ向かうに従って幅狭に設定した。
【００１６】
すなわち、第１金具の係合溝に第２金具の係合凸部を挿入して両金具を連結する際には、前記係合凸部を、前記係合溝の長さ方向に沿って挿入する。このとき、前記係合凸部は、挿入される先端より基端へ向かうに従って幅広に設定されており、前記係合溝は、前記係合凸部が挿入される挿入口側から奥側へ向かうに従って幅狭に設定されている。
【００１７】
このため、前記係合溝への前記係合凸部の挿入は容易に行われる。また、該係合凸部を前記係合溝へ挿入するに従って、両者の結合強度が高められる。
【００１８】
【発明の実施の形態】
以下、本発明の一実施の形態を図に従って説明する。図１は、本実施の形態にかかる連結具を備えた組立家具を示す図であり、組み立て用の椅子１が示されている。
【００１９】
この椅子１は、４本の脚部１１，・・・に支持されたフレーム１２を備えており、該フレーム１２は、図２に示すように、端部に前記脚部１１，１１が固定された前後の横板１３，１３と、両横板１３，１３を連設する左右の側板１４，１４とによってロ字状に形成されている。前記各側板１４，１４と前記横板１３，１３とは、各角部１５，・・・に設けられた連結具１６，・・・によって連結されており、その形状が維持されている。
【００２０】
このフレーム１２上には、円形の座板２１が設けられており、該座板２１は、前記フレーム１２を挿通するネジ２２，・・・によって固定されている。後部側に設けられた各脚部１１，１１には、図３にも示すように、上方へ延出する支柱２３，２３が後方へ傾いた状態で設けられており、両支柱２３，２３間には、円弧状に湾曲した背板２４，・・・が架橋した状態で固定されている。
【００２１】
一方、図４は、前記椅子１とセットの組立家具であるテーブル３１を示す図である。
【００２２】
このテーブル３１も、４本の脚部４１，・・・に支持されたフレーム４２を備えており、該フレーム４２は、図５に示すように、端部に前記脚部４１，４１が固定された左右の側板４３，４３と、両側板４３，４３を連設する前後の横板４４，４４とによってロ字状に形成されている。前記各側板４３，４３と前記横板４４，４４とは、各角部４５，・・・に設けられた前述同様の連結具１６，・・・によって連結されており、その形状が維持されている。
【００２３】
このフレーム４２上には、長方形状の天板５１が設けられており、該天板５１は、前記フレーム４２を挿通するネジ５２，・・・によって固定されている。これにより、載置面が形成されている。
【００２４】
前記椅子１及び前記テーブル３１では、前述した同一の連結具１６が使用されており、この連結具１６を、椅子１に採用した図６を用いて説明する。
【００２５】
すなわち、前記連結具１６は、Ｌ字状に連結される金属製の第１金具６１と第２金具６２とによって構成されており、フレーム１２の角部１５の内周側に沿って設けられている。前記第１金具６１は、第１の部材としての前記横板１３の両端部側に設けられおり、前記角部１５の内周側を構成する横板１３の内側面６３に固定されている。また、前記第２金具６２は、第２の部材としての前記側板１４の両端部に設けられおり、前記角部１５の内周側を構成する側板１４の内側面６４に固定されている。
【００２６】
前記第１金具６１は、図７にも示すように、対象物に面接される固定面７１を有した縦長の板状に形成されており、その左側部７２には、固定用のネジ挿入穴７３，７３が設けられている。また、前記第１金具６１の右側部７４には、相対向する対向壁７５，７５が全長に渡って設けられており、両対向壁７５，７５間には、係合溝７６が形成されている。
【００２７】
この第１金具６１の上縁には、上縁フランジ８１が前記左側部７２に形成されており、前記両対向壁７５，７５間の前記係合溝７６は、上方に開口している。また、前記第１金具６１の下縁には、下縁フランジ８２が形成されており、該下縁フランジ８２は、前記左側部７２から前記右側部７４に渡る全域に形成されている。これにより、前記両対向壁７５，７５間の前記係合溝７６は下方が閉鎖されている。
【００２８】
この係合溝７６の幅寸法Ｈ１は、上方に開口した挿入口９１側から前記下縁フランジ８２で閉鎖された奥側へ向かうに従って狭くなるように設定されており、前記各対向壁７５，７５の先端には、対向した対向壁７５側へ延出する爪部９２，・・・が間隔をおいて形成されている。
【００２９】
前記第２金具６２は、図８に示すように、対象物に面接される固定面１０１を有した縦長の板状に形成されており、その右側部１０２には、固定用のネジ挿入穴１０３，１０３が設けられている。また、前記第２金具６２の左側部１０４には、壁部１０５が全長に渡って立設されており、該壁部１０５には、前記第１金具６１の前記係合溝７６に挿入された状態で係合する係合凸部１０６が設けられている。
【００３０】
この係合凸部１０６は、前記壁部１０５から延出した首部１１１と、該首部１１１先端に形成された頭部１１２とによって構成されている。前記首部１１１は、図６に示したように、前記係合溝７６の内側へ突出した爪部９２，９２を挿通できる幅寸法に設定されており、前記頭部１１２の幅寸法は、前記爪部９２，９２間の寸法より大きく設定され、当該係合凸部１０６の前記係合溝７６からの不用意な抜けを防止できるように構成されている。
【００３１】
この係合凸部１０６の前記頭部１１２の幅寸法Ｈ２は、図８に示したように、前記係合溝７６へ挿入される先端より基端へ向かうに従って広くなるように設定されており、その厚み寸法Ｔ１も、前記係合溝７６へ挿入される先端より基端へ向かうに従って厚肉となるように設定され楔形を成している。
【００３２】
これにより、図６に示したように、前記第１金具６１の前記係合溝７６に当該第２金具６２の前記係合凸部１０６を係合して連結した状態で、前記第１金具６１に対する前記第２金具６２の角度を保持できるとともに、前記第１金具６１の固定面７１と当該第２金具６２の固定面１０１とによって前記角部１５の内周側に沿って延在するＬ字状のアングル面１２１を構成できるように構成されている。
【００３３】
前記第２金具６２の右側部１０２における上縁には、図８に示したように、上縁起立壁１３１が形成されており、下縁には、下縁起立壁１３２が形成されている。両起立壁１３１，１３２は、前記壁部１０５と前記固定面１０１とを連設する三角形状に形成されている。
【００３４】
これにより、図６に示したように、前記第１金具６１の前記係合溝７６に当該第２金具６２の前記係合凸部１０６を係合して連結した状態で、前記上縁及び下縁起立壁１３１，１３２が前記第１金具６１の上縁及び下縁フランジ８１，８２に当接することによって、前記第１金具６１の前記固定面７１と前記第２金具６２の前記固定面１０１との間にて斜めに延在する梁部１４１を、前記上縁及び下縁起立壁１３１，１３２と前記上縁及び下縁フランジ８１，８２とが共同して構成するように構成されている。
【００３５】
以上の構成にかかる本実施の形態において、この連結具１６を椅子１で使用する際には、フレーム１２の横板１３の内側面６３に予め第１金具６１を固定するとともに、側板１４の内側面６４に第２金具６２を予め固定しておく。そして、前記第１金具６１に設けられた係合溝７６に、第２金具６２に設けられた係合凸部１０６を挿入し、両金具６１，１０１を連結する。すると、前記横板１３と側板１４とは、角部１５の内周側に沿って配設された第１及び第２金具６１，６２が連結された状態の連結具１６によって結合される。
【００３６】
このように、販売時に予め横板１３に固定された第１金具６１の係合溝７６に、側板１４に固定された第２金具６２の係合凸部１０６を挿入するだけで、両板１３，１４を連結することができる。このため、木ねじを一方の板材に貫通し、かつ他の板材に螺入して連結する従来と比較して、連結作業が容易となる。
【００３７】
そして、連結された第１及び第２金具６１，６２は、前記両板１３，１４の角部１５の内周側に沿って配設される。このため、両板１３，１４の内側へ向けた変形に対する強度を高めることができる。これにより、板材に木ねじを螺入して隣接する板材同士を連結する構造と比較して、強度を高めることができる。
【００３８】
したがって、連結作業が容易で、かつ結合部での剛性を高めることのできる連結具１を提供することができる。
【００３９】
また、前記第１金具６１の固定面７１と第２金具６２の固定面１０１とによって角部１５の内周側に沿って延在するＬ字状のアングル面１２１が構成されており、連結状態において前記第１金具６１に対する前記第２金具６２の角度を保持することができる。
【００４０】
このため、この連結具１６によって連結された横板１３及び側板１４の角度を維持することができ、両板１３，１４の角部１５での角度を維持することができる。
【００４１】
さらに、連結状態において、前記横板１３に面接する第１金具６１の固定面７１と、側板１４に面接する第２金具６２の固定面１０１との間には、前記第２金具６２の固定面１０１に立設された上縁及び下縁起立壁１３１，１３２と、前記第１金具６１の前記上縁及び下縁フランジ８１，８２とによって、斜めに延在する梁部１４１が形成される。
【００４２】
このため、連結された第１及び第２金具６１，６２がＬ字状に形成される場合と比較して、剛性を高めることができる。
【００４３】
加えて、第１金具６１の係合溝７６に第２金具６２の係合凸部１０６を挿入して両金具６１，６２を連結する際には、前記係合凸部１０６を、前記係合溝７６の長さ方向に沿って挿入する。このとき、前記係合凸部１０６の頭部１１２は、挿入される先端より基端へ向かうに従って幅広に設定されており、前記係合溝７６は、前記係合凸部１０６が挿入される挿入口９１側から奥側へ向かうに従って幅狭に設定されている。
【００４４】
このため、前記係合溝７６への前記係合凸部１０６の挿入を容易に行うことができる。そして、該係合凸部１０６を前記係合溝７６へ挿入するに従って、両者１０６，７６の結合強度を高めることができるとともに、ガタツキの防止することもできる。
【００４５】
【発明の効果】
以上説明したように、本発明の請求項１の連結具にあっては、予め第１の部材に固定された第１金具の係合溝に、第２の部材に固定された第２金具の係合凸部を挿入するだけで、両部材を連結することができる。このため、木ねじを一方の板材に貫通し、かつ他の板材に螺入して連結する従来と比較して、連結作業が容易となる。
【００４６】
そして、連結された第１及び第２金具は、前記両部材の角部の内周側に沿って配設される。このため、両部材の内側へ向けた変形に対する強度を高めることができる。これにより、板材に木ねじを螺入して隣接する板材同士を連結する構造と比較して、強度を高めることができる。
【００４７】
したがって、連結作業が容易で、かつ結合部での剛性を高めることのできる連結具を提供することができる。
【００４８】
また、請求項２の連結具においては、第１金具の固定面と第２金具の固定面とによって角部の内周側に沿って延在するＬ字状のアングル面を構成し、連結状態において前記第１金具に対する前記第２金具の角度を保持することができる。
【００４９】
このため、この連結具によって連結された第１及び第２の部材の角度を維持することができ、この連結具によって連結された第１及び第２の部材の角部での角度を維持することができる。
【００５０】
さらに、請求項３の連結具では、連結状態において、第１の部材に面接する第１金具の固定面と、第１の部材に面接する第２金具の固定面との間に、前記第２金具の固定面に立設された起立壁によって斜めに延在する梁部を形成することができる。
【００５１】
このため、連結された第１及び第２金具がＬ字状に形成される場合と比較して、剛性を高めることができる。
【００５２】
加えて、請求項４の連結具にあっては、第１金具の係合溝に第２金具の係合凸部を挿入して両金具を連結する際に、前記係合凸部を、前記係合溝の長さ方向に沿って挿入する。このとき、前記係合凸部は、挿入される先端より基端へ向かうに従って幅広に設定されており、前記係合溝は、前記係合凸部が挿入される挿入口側から奥側へ向かうに従って幅狭に設定されている。
【００５３】
このため、前記係合溝への前記係合凸部の挿入を容易に行うことができる。そして、該係合凸部を前記係合溝へ挿入するに従って、両者の結合強度を高めることができるとともに、ガタツキを防止することもできる。
【図面の簡単な説明】
【図１】本発明の一実施の形態における椅子を示す正面図である。
【図２】同実施の形態の椅子を示す底面図である。
【図３】同実施の形態の椅子の底面を示す斜視図である。
【図４】同実施の形態におけるテーブルを示す側面図である。
【図５】同実施の形態におけるテーブルを示す平面図である。
【図６】同実施の形態の椅子のフレームにおける角部を示す平面図である。
【図７】同実施の形態の第１金具を示す図であり、（ａ）は要部の断面図、（ｂ）は正面図、（ｃ）は底面図である。
【図８】同実施の形態の第２金具を示す図であり、（ａ）は左側面図、（ｂ）は正面図、（ｃ）は底面図である。
【符号の説明】
１    椅子
１２    フレーム
１３    横板
１４    側板
１５    角部
１６    連結具
３１    テーブル
４２    フレーム
４３    側板
４４    横板
４５    角部
６１    第１金具
６２    第２金具
６３    内側面
６４    内側面
７１    固定面
７６    係合溝
９１    挿入口
１０１    固定面
１０６    係合凸部
１２１    アングル面
１３１    上縁起立壁
１３２    下縁起立壁
１４１    梁部
【図１】
2004211821.tif 000003
【図２】
2004211821.tif 000004
【図３】
2004211821.tif 000005
【図４】
2004211821.tif 000006
【図５】
2004211821.tif 000007
【図６】
2004211821.tif 000008
【図７】
2004211821.tif 000009
【図８】
2004211821.tif 000010